(57)【要約】【課題】  多層構造を有する記録可能ディスクとして、データ記録品質の低下抑制を図る。【解決手段】  多層構造を有し且つ各層で記録（及び読み出し）方向の異なるディスクにおいて、記録用レーザパワーの調整のための試し書き領域（ＰＣＡ）を各記録層での記録開始位置側に設ける。記録開始位置に近い場所でキャリブレーション動作が行われるのでより適正なレーザパワーを決定することができ、これによって記録開始位置付近での書き損じを防止してデータ記録品質の低下を抑制できる。【選択図】図１
2005276390.tif 000002
【特許請求の範囲】
【請求項１】
複数の記録層を有すると共に、各記録層におけるデータの記録開始位置が内周側と外周側とで交互となるようにされたオポジットトラックパス方式の光ディスク媒体であって、試し書き領域が各記録層における上記記録開始位置側となる部分に対してのみ設けられる、
ことを特徴とする光ディスク媒体。
【請求項２】
上記試し書き領域は、各記録層において上記記録開始位置が位置する側に応じた最外周部分又は最内周部分に設けられる請求項１に記載の光ディスク媒体。
【請求項３】
複数の記録層を有すると共に、各記録層におけるデータの記録開始位置が内周側と外周側とで交互となるようにされたオポジットトラックパス方式の光ディスク媒体であって、試し書き領域が各記録層において上記記録開始位置が位置する側に応じた最外周部分又は最内周部分に対してのみ設けられる光ディスク媒体に対するデータの記録再生を行う記録再生装置として、
上記記録層に対してレーザ光の照射によってデータを記録する記録手段と、
各記録層での上記記録開始位置からのデータ記録動作を開始する際に、各記録層で上記記録開始位置が位置する側に応じた最内周部分又は最外周部分に設けられた上記試し書き領域にて試し書き動作を行うように上記記録手段を制御すると共に、この試し書き動作の結果に基づいて上記レーザ光のレーザパワーを決定するレーザパワー決定手段と、
を備えることを特徴とする記録再生装置。
【請求項４】
上記レーザパワー決定手段は、
上記記録手段によるデータ記録動作が或る記録層から次の記録層へと移り変わる際に、上記次の記録層にて記録開始位置が位置する側に応じた最内周部分又は最外周部分に設けられた上記試し書き領域にて試し書き動作をように上記記録手段を制御する、
ことを特徴とする請求項３に記載の記録再生装置。
【請求項５】
複数の記録層を有すると共に、各記録層におけるデータの記録開始位置が内周側と外周側とで交互となるようにされたオポジットトラックパス方式の光ディスク媒体であって、試し書き領域が各記録層において上記記録開始位置が位置する側に応じた最外周部分又は最内周部分に対してのみ設けられる光ディスク媒体に対するデータの記録時において、
各記録層での上記記録開始位置からのデータ記録動作を開始する際に、各記録層で上記記録開始位置が位置する側に応じた最内周部分又は最外周部分に設けられた上記試し書き領域にてレーザ光の照射により試し書き動作を行うと共に、この試し書き動作の結果に基づいて上記レーザ光のレーザパワーを決定する、
ことを特徴とするレーザパワー決定方法。
【発明の詳細な説明】
【技術分野】
【０００１】
本発明は、データの記録が可能な光ディスク媒体と、光ディスク媒体に対してレーザ光の照射によりデータの記録再生を行う記録再生装置、及びレーザパワー決定方法に関する。
【背景技術】
【０００２】
【特許文献１】特開平２００３−１６８２１６号公報
【０００３】
データ記録が可能な光ディスクとして、例えばＣＤ（Compact Disc）系ではＣＤ−Ｒ（Recrdable）、ＣＤ−ＲＷ（ReWritable）、またＤＶＤ（Digital Versatile Disc）系ではＤＶＤ−Ｒ、ＤＶＤ−ＲＷ、ＤＶＤ−ＲＡＭ等が知られている。
このような記録可能ディスクに対してデータの記録を行うディスクドライブ装置では、データの記録前に試し書き動作を行った結果に基づいてレーザ光の記録パワーを決定するようにされている（いわゆるパワーキャリブレーション）。
そして、これに応じ上記した記録可能ディスクに対しては、例えば図５に示すようにして最内周側にＰＣＡ（パワーキャリブレーションエリア）と呼ばれる試し書き領域が設けられている。例えば、このようＰＣＡとしては、図示するようにしてデータ記録が行われるデータ記録エリアの内周側となるリードインエリアよりも、さらに内周側に設けられる。
なお、上記した特許文献１には、このように記録可能ディスクにおいてＰＣＡを設ける技術について記載されている。
【０００４】
ところで、光ディスクにおいては、記録容量の増大化を図るために記録層を多層化するということが行われている。
図６には、現在一般的に普及している多層構造を有する光ディスクとして、再生専用のＤＶＤ（ＤＶＤ−ＲＯＭ）のディスク構造を簡略的に示している。
このような多層構造のＤＶＤ−ＲＯＭでは、図６（ａ）に示すようにして、例えば第１記録層Ｌ0と第２記録層Ｌ1とで共に内周側から外周側にかけてデータの読み出しが行われるものと、図６（ｂ）に示されるように、例えば第１記録層Ｌ0では内周から外周にかけて、また第２記録層では外周から内周にかけてデータの読み出しが行われるようにされたものがある。
図６（ａ）のように各記録層で読み出し方向が同方向となるものはパラレルトラックパス、また図６（ｂ）のように各記録層で読み出し方向が異方向となるものはオポジットトラックパスと呼ばれている。
【発明の開示】
【発明が解決しようとする課題】
【０００５】
ここで、上述したような記録可能ディスクについても、このようなＤＶＤ−ＲＯＭの場合と同様に記録層を多層化して記録容量の増大化を図ることが考えられている。
このようにして記録可能ディスクを多層化することを想定した場合、先に述べたようなＰＣＡは各記録層ごとに設けられる必要がある。これは、各記録層においてレーザ光に対する感応特性が異なることが予想されることから、各層の条件にあったレーザパワーを決定するために必要となるものである。
【０００６】
このように各記録層に対してＰＣＡを設けるにあたって、例えば図６（ａ）に示したようなパラレルトラックパスのディスクを想定した場合は、各層において従来どうり最内周側にＰＣＡを設けたとしても、各層では共に内周方向からデータの書き込みを行うようにされるので、第２記録層Ｌ1においても書き始め位置に近い場所でパワーキャリブレーション動作を行うことができる。これによっては、書き始め位置の条件（例えば有機色素の塗りムラやスキュー）と近い条件の下でレーザパワーを決定できるので、その層におけるレーザパワーの初期値として適正な値を設定することが可能となる。
【０００７】
しかしながら、図６（ｂ）に示したオポジットトラックパスのディスクを想定した場合は、各層にて従来どうり最内周側にＰＣＡが設けられてしまうと、この場合の第２記録層Ｌ1の書き始め位置は外周側となるので、第２記録層Ｌ1におけるＰＣＡは書き始め位置に対して最も遠い位置となってしまう。
これによっては、書き始め位置から最も遠い位置でパワーキャリブレーション動作を行わなければならなくなり、この結果適正なレーザパワーの初期値を設定することができなくなる可能性がある。
そして、このように適正でない初期値に基づく記録動作が行われた場合は、書き始め位置付近で書き損じが生じる可能性があり、これによって記録データの品質低下を招く可能性がある。
【０００８】
また、この場合はキャリブレーション動作のために最外周側から一旦最内周側に移動し、その後再びデータ書き込みのために最外周側まで移動する必要があることで、その分時間的なロスが生じる。また、移動のためには相応の消費電力も要し、特に電池駆動の装置では駆動時間が短縮されてしまう虞もある。
【課題を解決するための手段】
【０００９】
そこで、本発明では以上のような問題点に鑑み、光ディスク媒体として以下のように構成することとした。
つまり、本発明の光ディスク媒体は、複数の記録層を有すると共に、各記録層におけるデータの記録開始位置が内周側と外周側とで交互となるようにされたオポジットトラックパス方式の光ディスク媒体であって、試し書き領域が各記録層における上記記録開始位置側となる部分に対してのみ設けられるものである。
【００１０】
また、本発明では記録再生装置として以下のように構成することとした。
すなわち、複数の記録層を有すると共に、各記録層におけるデータの記録開始位置が内周側と外周側とで交互となるようにされたオポジットトラックパス方式の光ディスク媒体であって、試し書き領域が各記録層において上記記録開始位置が位置する側に応じた最外周部分又は最内周部分に対してのみ設けられる光ディスク媒体に対するデータの記録再生を行う記録再生装置として、先ずは上記記録層に対してレーザ光の照射によってデータを記録する記録手段を備える。
その上で、各記録層での上記記録開始位置からのデータ記録動作を開始する際に、各記録層で上記記録開始位置が位置する側に応じた最内周部分又は最外周部分に設けられた上記試し書き領域にて試し書き動作を行うように上記記録手段を制御すると共に、この試し書き動作の結果に基づいて上記レーザ光のレーザパワーを決定するレーザパワー決定手段を備えるようにした。
【００１１】
さらに、本発明では、レーザパワー決定方法として以下のようにすることとした。
つまり、複数の記録層を有すると共に、各記録層におけるデータの記録開始位置が内周側と外周側とで交互となるようにされたオポジットトラックパス方式の光ディスク媒体であって、試し書き領域が各記録層において上記記録開始位置が位置する側に応じた最外周部分又は最内周部分に対してのみ設けられる光ディスク媒体に対するデータの記録時において、
各記録層での上記記録開始位置からのデータ記録動作を開始する際に、各記録層で上記記録開始位置が位置する側に応じた最内周部分又は最外周部分に設けられた上記試し書き領域にてレーザ光の照射により試し書き動作を行うと共に、この試し書き動作の結果に基づいて上記レーザ光のレーザパワーを決定するようにした。
【００１２】
本発明の光ディスク媒体は、各記録層における記録開始位置がそれぞれ内周側と外周側とで交互となるようにされたいわゆるオポジットトラックパス方式のディスクである。
その上で、上記のようにして各記録層においては必ず記録開始位置側に試し書き領域が設けられるので、常に記録開始位置に近い場所で試し書き動作を行ってレーザパワーを決定することができる。これによれば、記録開始位置の条件（例えば有機色素の塗りムラやスキュー）と近い条件の下でレーザパワーを設定することができ、適正なレーザパワーの初期値を設定することができる。
また、このように試し書き領域が必ず記録開始位置側に設けられることによれば、例えば或る記録層からその次の記録層へと記録動作が移り変わる際にも、次の記録層でのキャリブレーション動作は非常に短い移動距離で以て行うことができる。また、これと同時に、キャリブレーション動作後の記録開始位置までの移動距離も非常に短いものとすることができる。つまり、これらのことから、次の記録層へのデータ記録が開始されるまでに必要な時間や消費電力をその分低減することができる。
また、試し書き領域は各記録層に対して１箇所しか設けられないので、このような試し書き領域が設けられることによる記録容量の低下を最小限に抑えることができる。さらに、例えばこのような試し書き領域を各記録層における最内周部分又は最外周部分に設けるようにした場合は記録容量の低下を防止できる。
【発明の効果】
【００１３】
このようにして本発明によれば、各記録層において試し書き領域を記録開始位置側に設けるようにしたことで、各記録層における適正なレーザパワーの初期値を設定することができる。
これによれば、記録開始位置付近におけるデータの書き損じの防止を図ることができ、この結果記録データの品質低下の防止が図られる。
【００１４】
また、このように試し書き領域が必ず記録開始位置側に設けられることによれば、例えば次の記録層へとデータ記録動作が移る際のキャリブレーション動作を行うための移動距離、及びその後の記録開始位置までの移動距離を非常に短いものとすることができ、これによって次の記録層でのデータ記録が開始されるまでに要する時間長や消費電力の低減を図ることができる。
そして、このように消費電力の低減が図られれば、特に電池駆動の装置では駆動時間の短縮化を抑制できる。
【００１５】
さらに、本発明によれば、試し書き領域は各記録層に対して１箇所しか設けられないので、このような試し書き領域が設けられることによる記録容量の低下を最小限に抑えることができる。そして、例えばこのような試し書き領域を各記録層における最内周部分又は最外周部分に設けるようにした場合は記録容量の低下を防止できる。
【発明を実施するための最良の形態】
【００１６】
以下、発明を実施するための最良の形態（以下実施の形態とする）について説明していく。
図１は、実施の形態の光ディスク媒体としてのディスク１００の構造を模式的に示している。
実施の形態のディスク１００は、データの記録が可能な記録可能ディスクとされ、複数の記録層が形成された多層構造を有する。また、レーザ波長が６５０ｎｍのいわゆる赤色レーザによりデータの記録再生が行われるＤＶＤ（Digital Versatile Disc）系ディスクであって、且つデータの追記が不能とされるいわゆるライトワンス型のＤＶＤ−Ｒ（Recordable）を例に挙げる。
【００１７】
図１において、先ず実施の形態のディスク１００においては、データの記録が行われるデータ記録エリアについて、その記録開始位置が各記録層の間で外周側と内周側とで交互に位置するようにされる。すなわち、各記録層間でデータの読み出し方向（記録方向）が図のように異なるようにされている、先に述べたオポジットトラックパス方式を採用するものである。
この場合、図示するレーザ照射方向において下側となる層を第１記録層Ｌ0、上側となる層を第２記録層Ｌ1とすると、実施の形態では、例えば第１記録層Ｌ0の記録開始位置は内周側となるようにしている。また、第２記録層Ｌ1の記録開始位置は外周側となるようにしている。すなわち、このディスク１００に対するデータの記録（又は読み出し）は、第１記録層Ｌ0では内周側から外周側にかけて、また第２記録層Ｌ1では外周側から内周側にかけて行われるようにしている。
【００１８】
第１記録層Ｌ0における記録開始位置は、当該ディスク１００の記録開始位置となる。このようなディスク１００の記録開始位置の前となる位置、すなわち、第１記録層Ｌ0においてデータ記録エリアよりもさらに内周側となる位置には、図示するリードインエリアが設けられる。このリードインエリアは、例えばディスク１００に対して記録されるデータについての管理情報等を記録するための領域として確保される。
【００１９】
また、ディスク１００における記録終了位置の後には、リードアウトエリアが形成される。
例えば、ここでは第１記録層Ｌ0及び第２記録層Ｌ1の双方のデータ記録エリアに渡るデータの記録が行われ、これに伴いリードアウトエリアが第２記録層Ｌ1における最内周側に形成される例が示されている。
【００２０】
さらに、各記録層に対しては、記録及び再生動作が記録層間を跨いで行われるときに、前層から次層への移動を行うためのミドルエリアが設けられる。
この場合は、上記のようにして第１記録層Ｌ0の記録終了位置は外周側、第２記録層Ｌ1の記録開始位置も外周側となることから、各記録層においてミドルエリアは、データ記録エリアの外周側となる位置に設けられる。
【００２１】
その上で、記録可能ディスクであるディスク１００に対しては、レーザ光の記録用パワーの調整を行うための試し書き領域として、ＰＣＡ（パワーキャリブレーションエリア）が各記録層に対して設けられる。
実施の形態のディスク１００では、このような記録層ごとのＰＣＡを、ディスク１００の内外周方向において、その層で記録開始位置が位置する側に設けるものとしている。すなわち、第１記録層Ｌ0では記録開始位置が内周側とされるので、内周側に設けるもとしている。また第２記録層Ｌ1では記録開始位置が外周側とされるので、外周側に設けるようにするものである。
なお且つ、この場合のＰＣＡとしては、各記録層で記録開始位置が位置する側に応じた最内周部分又は最外周部分に設けるようにしている。つまり、第１記録層Ｌ0におけるＰＣＡとしては、この第１記録層Ｌ0にて記録開始位置が位置する側は内周側となるので、最内周部分に対して設けるようにする。具体的には、図示するようにリードインエリアよりもさらに内周側となる部分に対して設けられる。
また、第２記録層Ｌ1においては、第２記録層Ｌ1にて記録開始位置が位置する側が外周側であるので、最外周部分としての、ミドルエリアよりもさらに外周側の位置に設けられる。
【００２２】
このようにして実施の形態のディスク１００では、オポジットトラックパス方式のディスクとして、各記録層においてＰＣＡを記録開始位置側に設けるようにしているので、例えば従来のように最内周側にＰＣＡを設ける場合と比較して、第２記録層Ｌ1での試し書き動作を記録開始位置により近い場所で行ってレーザパワーを決定することができる。これによれば、記録開始位置の条件（例えば有機色素の塗りムラやスキュー）により近い条件の下でレーザパワーを設定することができ、適正なレーザパワーの初期値を設定することができる。
そして、このように適正なレーザパワーの初期値が設定できれば、記録開始位置付近でのデータの書き損じが防止され、これによってデータ記録品質の低下の防止を図ることができる。
【００２３】
また、上記のようにして各記録層にてＰＣＡが記録開始位置側に設けられれば、前の記録層（第１記録層Ｌ0）から次の記録層（第２記録層Ｌ1）へとデータ記録動作が移り変わる際に、次の記録層にてパワーキャリブレーション動作を行うにあたっての移動距離を、例えば各層の最内周側にＰＣＡを設けるとした場合よりも短くすることができる。
また、これと同時に、キャリブレーション動作後に記録開始位置に戻るまでの移動距離も、各層の最内周側にＰＣＡを設けるとした場合よりも短くすることができる。
これによれば、次の記録層への記録動作の開始までに要する移動距離は格段に短縮されるので、その分の時間長と消費電力の低減を図ることができる。特に、消費電力の低減が図られることによって、例えば電池駆動の装置の駆動時間短縮を抑制できる。
【００２４】
また、この場合は、上記のようにその記録層において記録開始位置が位置する側に応じて、ＰＣＡを最内周部分、最外周部分に設けるようにしていることで、ＰＣＡをリードインエリア外、又はミドルエリア外となる位置に設けることができる。
従来の多層ディスクに対する読み出し動作によっては、リードインエリア外及びミドルエリア外に対するデータ読み出しは行われないので、このような従来どうりの動作でディスク１００からのデータ再生を正常に行わせることができる。すなわち、これにより従来の多層ディスクとの互換性を確保することができる。
【００２５】
また、実施の形態のディスク１００では、上記のようにしてＰＣＡはリードインエリア外、又はミドルエリア外に設けられるので、このようなＰＣＡが設けられることによる記憶容量の低下を防止できる。
また、仮にデータ記録エリア内に設けるとした場合にも、ＰＣＡは各記録層に対して１箇所のみ設けられることになるので、例えば複数設ける場合と比較すれば記憶容量の低下を最小限に抑えることができる。
【００２６】
なお、図１では記録層が２層とされる場合を例に挙げたが、３層以上とされる場合も同様に、次の図２に示されるようにしてその記録層における記録開始位置側であり、且つこのような記録開始位置が位置する側に応じた最外周部分又は最内周部分に対してＰＣＡを設けるようにすれば、上記と同様の効果を得ることができる。
【００２７】
続いては、上記により説明したディスク１００に対するデータの記録を行う、実施の形態の記録再生装置としてのディスクドライブ装置１について説明する。
先ず、図３には、このようなディスクドライブ装置１の内部構成を示す。
実施の形態のディスクドライブ装置１としては、ディスク１００に対するデータの記録及び再生が可能な記録再生装置の構成が採られる。
また、ＤＶＤ−Ｒとしてのディスク１００に対応する構成として、ＤＶＤ系ディスクに対する記録再生が可能な構成が採られている。
【００２８】
図３において、ディスク１００は、図示しないターンテーブルに積載され、記録再生動作時においてスピンドルモータ２によって一定線速度（ＣＬＶ）もしくは一定角速度（ＣＡＶ）で回転駆動される。そして光ピックアップ３によってディスク１００にエンボスピット形態、又は色素変化ピット形態、相変化ピット形態などで記録されているデータの読み出しが行なわれることになる。
【００２９】
光ピックアップ３内には、レーザ光源となるレーザダイオードや、反射光を検出するためのフォトディテクタ、レーザ光の出力端となる対物レンズ、レーザ光を対物レンズを介してディスク記録面に照射し、またその反射光をフォトディテクタ側に導く光学系、対物レンズをトラッキング方向及びフォーカス方向に変位可能に保持する二軸機構などが形成される。
また光ピックアップ３全体はスライド駆動部４によりディスク半径方向に移動可能とされている。
【００３０】
ディスク１００からの反射光情報は、上記光ピックアップ３内に複数設けられたフォトディテクタによって検出され、受光光量に応じた電気信号とされてフロントエンドプロセッサ８に供給される。
フロントエンドプロセッサ８には、光ピックアップ３内の複数のフォトディテクタからの出力に対応してマトリクス演算／増幅回路等を備え、マトリクス演算処理により必要な信号を生成する。例えば再生データであるＲＦ信号、サーボ制御のためのフォーカスエラー信号ＦＥ、トラッキングエラー信号ＴＥなどを生成する。
また、後述するランニングＯＰＣ（Optimum Power Control）に用いられる光量データＰＬを上記反射光情報に基づいて生成する。
【００３１】
フロントエンドプロセッサ８から出力される再生ＲＦ信号は再生信号処理部９へ、フォーカスエラー信号ＦＥ、トラッキングエラー信号ＴＥはサーボ制御部１０へ供給される。また、光量データＰＬはコントローラ１２に対して供給される。
【００３２】
フロントエンドプロセッサ８で得られた再生ＲＦ信号は再生信号処理部９において、２値化、ＰＬＬクロック生成、ＥＦＭ＋信号（８−１６変調信号）に対するデコード処理、エラー訂正処理等が行われる。
再生信号処理部９は、ＤＲＡＭ１１を利用してデコード処理やエラー訂正処理を行う。なおＤＲＡＭ１１は、ホストインタフェース１３から得られたデータを保存したり、例えば外部のホストコンピュータに対してデータ転送する為のキャッシュとしても用いられる。
そして再生信号処理部９は、デコードしたデータをキャッシュメモリとしてのＤＲＡＭ１１に蓄積していく。
このディスクドライブ装置１からの再生出力としては、ＤＲＡＭ１１にバファリングされているデータが読み出されて転送出力されることになる。
【００３３】
また再生信号処理部９では、ＲＦ信号に対するＥＦＭ＋復調並びにエラー訂正により得られた情報の中から、サブコード情報やATIP情報、LPP情報、ADIP情報、セクターID情報などを抜き出しており、これらの情報をコントローラ１２に供給する。
【００３４】
コントローラ１２は、例えばマイクロコンピュータで形成され、装置全体の制御を行う。
特に実施の形態の場合のコントローラ１２は、各記録層に対してＰＣＡが設けられたディスク１００に対応して記録動作を行うために、図４に示すような処理動作を行うようにされるがこれについては後述する。
【００３５】
ホストインタフェース１３は、外部のパーソナルコンピュータ等のホストコンピュータと接続され、この間で再生データやリード／ライトコマンド等の通信を行う。
即ちＤＲＡＭ１１に格納された再生データは、ホストインタフェース１３を介してホストコンピュータに転送出力される。
またホストコンピュータからのリード／ライトコマンドや記録データ、その他の信号はホストインタフェース１３を介してＤＲＡＭ１１にバッファリングされたり、コントローラ１２に供給される。
【００３６】
ホストコンピュータからライトコマンド及び記録データが供給されることでディスク１００に対する記録が行われる。
データの記録時においては、ＤＲＡＭ１１にバッファリングされた記録データは、変調部１４において記録のための処理が施される。即ちエラー訂正コード付加、ＥＦＭ＋変調などの処理が施される。
そしてこのように変調された記録データがレーザ変調回路１５に供給される。レーザ変調回路１５は、記録データに応じて光ピックアップ３内の半導体レーザを駆動し、記録データに応じたレーザ出力を実行させ、ディスク１００にデータ書込を行う。
【００３７】
この記録動作時においては、コントローラ１２は、ディスク１００の記録領域に対して光ピックアップ３から記録パワーでレーザ光を照射するように制御される。
ディスク１００が色素変化膜を記録層としたライトワンス型のものである場合は、記録パワーのレーザ照射により、色素変化によるピットが形成されていく。
またディスク１００が相変化記録層のリライタブルディスクの場合は、レーザ光の加熱によって記録層の結晶構造が変化し、相変化ピットが形成されていく。つまりピットの有無と長さを変えて各種のデータが記録される。また、ピットを形成した部分に再度レーザ光を照射すると、データの記録時に変化した結晶状態が加熱によって元に戻り、ピットが無くなってデータが消去される。
【００３８】
ここで、記録動作中においては、コントローラ１２の制御に基づくランニングＯＰＣ動作が行われる。
例えば、コントローラ１２は、記録動作中においてフロントエンドプロセッサ８に得られる、先に述べた光量データＰＬに応じてレーザ変調回路１５を制御し、記録時にピット（例えば色素変化ピット）が適正に形成されるようにレーザパワーを可変制御するようにされている。
具体的には、フロントエンドプロセッサ８から供給される光量データＰＬの値は、例えばスキューや記録膜の塗りムラ等により記録面に対して適正にピットが形成されない場合ほど大きな値が得られ、逆に適正にピットが形成されるほど小さな値が得られる。コントローラ１２は、このような光量データＰＬの値に応じてレーザ変調回路１５に対してレーザパワーの目標位置を与え、レーザ出力レベルがその目標値となるように指示する。これによって、常に適正にピットが形成されるようにレーザパワーの目標値が可変制御される。
なお、ここではコントローラ１２がランニングＯＰＣ制御を行うものとしたが、コントローラ１２とは別にランニングＯＰＣ制御を行うＯＰＣコントローラが設けられる構成とされてもよい。
【００３９】
サーボ制御部１０は、フロントエンドプロセッサ８からのフォーカスエラー信号ＦＥ、トラッキングエラー信号ＴＥや、再生信号処理部９もしくはコントローラ１２からのスピンドルエラー信号ＳＰＥ等から、フォーカス、トラッキング、スライド、スピンドルの各種サーボドライブ信号を生成しサーボ動作を実行させる。
即ちフォーカスエラー信号ＦＥ、トラッキングエラー信号ＴＥに応じてフォーカスドライブ信号、トラッキングドライブ信号を生成し、フォーカス／トラッキング駆動回路６に供給する。フォーカス／トラッキング駆動回路６は、光ピックアップ３における二軸機構のフォーカスコイル、トラッキングコイルを駆動することになる。これによって光ピックアップ３、フロントエンドプロセッサ８、サーボ制御部１０、フォーカス／トラッキング駆動回路６、二軸機構によるトラッキングサーボループ及びフォーカスサーボループが形成される。
【００４０】
サーボ制御部１０はさらに、スピンドルモータ駆動回路７に対してスピンドルエラー信号ＳＰＥに応じて生成したスピンドルドライブ信号を供給する。スピンドルモータ駆動回路７はスピンドルドライブ信号に応じて例えば３相駆動信号をスピンドルモータ２に印加し、スピンドルモータ２の回転を実行させる。またサーボ制御部１０はコントローラ１２からのスピンドルキック／ブレーキ制御信号に応じてスピンドルドライブ信号を発生させ、スピンドルモータ駆動回路７によるスピンドルモータ２の起動、停止、加速、減速などの動作も実行させる。
【００４１】
またサーボ制御部１０は、例えばトラッキングエラー信号ＴＥの低域成分として得られるスライドエラー信号や、コントローラ１２からのアクセス実行制御などに基づいてスライドドライブ信号を生成し、スライド駆動回路５に供給する。スライド駆動回路５はスライドドライブ信号に応じてスライド駆動部４を駆動する。スライド駆動部４には図示しないが、光ピックアップ３を保持するメインシャフト、スレッドモータ、伝達ギア等による機構を有し、スライド駆動回路５がスライドドライブ信号に応じてスライド駆動部４を駆動することで、光ピックアップ３の所要のスライド移動が行なわれる。
【００４２】
なお、実施の形態では、ホストコンピュータと接続されるディスクドライブ装置１の構成を例に挙げたが、単体で記録再生が可能な構成が採られてもよい。
この場合には、例えばユーザが操作入力を行うための操作部や各種の情報表示のための表示部、音声・映像信号等についての外部入出力端子等が備えられればよい。
また、ここではＤＶＤ系のディスク１００に対応する構成を例示したが、例えばＣＤ（Compact Disc）系の光ディスク媒体に対応する構成とされてもよい。
【００４３】
このような構成とされる実施の形態のディスクドライブ装置１では、先の図１に示したような構造とされるディスク１００が装填された場合であって、第１記録層Ｌ0から第２記録層Ｌ1にかけて連続的にデータの記録動作を行う場合において、第１記録層Ｌ0の記録動作が外周側にて終了し、これに応じ第２記録層Ｌ1への記録動作に移る際に、そのまま最外周部分に設けられる第２記録層Ｌ1のＰＣＡにアクセスしてパワーキャリブレーション動作を行うようにされる。
そして、このような最外周部分に設けられたＰＣＡにおいてパワーキャリブレーション動作を行った上で、外周側に位置するようにされた第２記録層Ｌ1の記録開始位置からの記録動作を開始するようにされる。
【００４４】
このようにして、外周側にて第１記録層Ｌ0に対する記録動作を完了し、そのまま最外周部分の第２記録層Ｌ1のＰＣＡにてパワーキャリブレーション動作を行うことができれば、例えば従来に倣って第２記録層Ｌ1においても最内周側にＰＣＡを設ける場合と比較して、第２記録層Ｌ1でのキャリブレーション動作を記録開始位置により近い条件で行うことができる。
これによれば、記録開始位置の条件により近い条件の下でレーザパワーを設定することができ、適正なレーザパワーの初期値を設定することができる。そして、このように適正なレーザパワーの初期値が設定できることで、先にも述べたように記録開始位置付近でのデータの書き損じの防止を図ることができる。
【００４５】
ここで、実施の形態のディスクドライブ装置１のようにして、ランニングＯＰＣ制御が行われることによっては、例えば有機色素の塗りムラやスキュー等の条件に合わない不適正なレーザパワーに対しては適正な値となるように可変制御が行われる。
しかしながら、このようなランニングＯＰＣ制御が行われるとしても適正なレーザパワー値に調整されるまでには相応の時間を要することとなる。このことから、上記のようにして第２記録層Ｌ1においてもＰＣＡを内周側に設けた場合のように、レーザパワー初期値が記録開始位置付近の条件に応じた適正な値に設定できない場合は、記録開始位置付近で書き損じが発生する可能性がある。
つまり、逆に上記のようにして記録開始位置により近い条件の下で適正なレーザパワーの初期値を設定できる実施の形態では、このような記録開始位置付近での書き損じを防止することができる。そして、これによってデータ記録品質低下の防止を図ることができる。
【００４６】
また、これと共に、上記のようにして外周側にて第１記録層Ｌ0に対する記録を完了し、そのまま最外周部分に位置する第２記録層Ｌ1のＰＣＡにてパワーキャリブレーション動作を行うことができれば、第２記録層Ｌ1でのパワーキャリブレーション動作を行うにあたっての移動距離は、最内周側のみにＰＣＡを設けるとした場合よりも短くすることができる。
また、これと同時に、キャリブレーション動作後に記録開始位置に戻るまでの移動距離としても、最内周側のみにＰＣＡを設けるとした場合よりも短くすることができる。
これによれば、第２記録層Ｌ1における記録動作の開始までに要する移動距離は格段に短縮されるので、その分の時間長と消費電力の低減を図ることができる。特に、消費電力の低減が図られれば、例えばディスクドライブ装置１が電池駆動とされる場合は駆動時間の短縮化を抑制できる。
【００４７】
図４には、上記説明による実施の形態としての動作を実現するための処理動作について説明するためのフローチャートを示す。
なお、この図に示される処理動作は、図３に示したコントローラ１２が例えば内部に備えるＲＯＭ等に格納されたプログラムに従って実行するものである。
また、この図では、すでに一層目（第１記録層Ｌ0）のＰＣＡにおけるキャリブレーション動作が終了した以降の処理動作を示している。
また、この際の記録動作としては、第１記録層Ｌ0から第２記録層Ｌ1にかけて連続的に行われる場合を例に挙げる。
【００４８】
先ず、図示するステップＳ１０１においては、記録動作を開始する。つまり、上記のようにして第１記録層Ｌ0でのキャリブレーション動作が終了したことに応じて第１記録層Ｌ0に対するデータの記録動作を開始するものである。
そして、ステップＳ１０２においては、一層目（第１記録層Ｌ0）に対する記録動作の終了を監視する。
【００４９】
一層目の記録動作が終了した場合は、ステップＳ１０３において二層目（第２録層Ｌ1）の外周側に設けられたＰＣＡにアクセスするための処理を実行する。つまり、図３に示したサーボ制御部１０に対する指示を行って例えばスライド駆動部４や光ピックアップ３内の二軸機構を動作させて、第２記録層Ｌ1のＰＣＡへの移動を行う。
その上で、ステップＳ１０４においてはパワーキャリブレーション動作を実行させるための処理を行う。つまり、例えばサーボ制御部１０に対する指示を行ってＰＣＡに対する試し書き動作を実行させ、書き込まれたデータに対する読み出しを行った結果得られる反射光情報に基づいてレーザパワーの初期値を決定する。
【００５０】
ステップＳ１０５においては、上記パワーキャリブレーション動作によって決定されたレーザパワーの初期値が設定されるように、レーザ変調回路１５に対する指示を行う。
そして、ステップＳ１０６において、二層目に対する記録動作を開始させる。つまり、サーボ制御部１０に対する指示を行って対物レンズをＰＣＡから記録開始位置へ移動させると共に、変調部１４に対する指示を行ってデータの記録動作を開始させる。
これによって、第２記録層Ｌ1においても、記録開始位置と近い条件に基づいて設定されたレーザパワーの初期値で以て記録動作を開始することができる。
【００５１】
なお、ここでは図１に示した２層構造のディスク１００に対応する場合を例に挙げたが、図２にて示したようにして３以上の記録層を有するディスクに対しては、ステップＳ１０６以降の処理として、２層目以上の記録層についてステップＳ１０２〜ステップＳ１０６と同様の処理を行うようにして、各記録層でのパワーキャリブレーション動作及びレーザパワーの設定を行うものとすればよい。
【００５２】
また、実施の形態では、第１記録層Ｌ0から第２記録層Ｌ1に渡って連続的にデータを記録する場合について説明したが、各記録層において記録開始位置からのデータ記録が開始される際にも、同様に各層にて記録開始位置が位置する側に応じて最内周部分又は最外周部分に対して設けられたＰＣＡにてキャリブレーション動作を行うものとすれば、記録開始位置と近い条件に基づいて設定したレーザパワーの初期値で以て記録動作を開始することができる。
【００５３】
ここで、これまでに説明してきた実施の形態では、ディスク１００がＤＶＤ−Ｒとされる場合を例に挙げたが、例えばＤＶＤ−ＲＷやＣＤ−Ｒ、ＣＤ−ＲＷ等、他の記録可能ディスクであって、多層構造を有しオポジットトラックパス方式が採用される光ディスク媒体であれば本発明を好適に適用することができる。
【図面の簡単な説明】
【００５４】
【図１】本発明における実施の形態としての光ディスク媒体の構造例について模式的に示した図である。
【図２】実施の形態の光ディスク媒体の他の構造例について模式的に示した図である。
【図３】本発明における実施の形態としての記録再生装置の内部構成について示したブロック図である。
【図４】実施の形態としての動作を実現するために実行されるべき処理動作について示したフローチャートである。
【図５】従来の記録可能な１層ディスクの構造について模式的に示した図である。
【図６】従来の多層構造を有するディスクの構造例について模式的に示した図である。
【符号の説明】
【００５５】
１  ディスクドライブ装置、２  スピンドルモータ、３  光ピックアップ、８  フロントエンドプロセッサ、９  再生信号処理部、１０  サーボ制御部、１１  ＤＲＡＭ、１２  コントローラ、１３  ホストインタフェース、１４  変調部、１５  レーザ変調回路、１００  ディスク
【図１】
2005276390.tif 000003
【図２】
2005276390.tif 000004
【図３】
2005276390.tif 000005
【図４】
2005276390.tif 000006
【図５】
2005276390.tif 000007
【図６】
2005276390.tif 000008